(57)【特許請求の範囲】
【請求項１】
水道の管路内に取り付けられ、上記管路の長手方向に沿って嵌合される合成樹脂製の円筒状の本体と、上記本体の流入側端面の周縁部に一体に形成されたフランジ部が設けられ、上記本体には、上記本体の長手方向に沿って形成され上記本体の流出側端面に開口するスリットが形成され、上記本体に節水具が嵌合され、この節水具は、上記管路の長手方向に沿って挿入され上記本体の内径とほぼ等しい外径の円柱状の節水部と、上記節水部の流入側端面の周縁部に形成されたフランジ部と、このフランジ部とは反対側の上記節水部の流出側端面側に形成され上記節水部の流入側端面に近い部分の外径よりも小さい径の小径部と、上記節水部の流入側端面から上記節水部の上記小径部の流出側端面近傍の側面を貫通した流路が設けられ、この流路の上記流入側端部から上記小径部近傍にかけて形成されているとともに上記管路の長手方向に形成された第一流路と、上記第一流路底面から上記節水部の小径部の側面に向かって斜めに分岐し貫通した第二流路が形成され、上記第二流路が上記節水部の上記第一流路底部近傍から上記小径部の流出側端面近傍にかけて開口している節水具であり、上記節水具の小径部と上記円筒状の本体の内壁面との間に、上記水道の管路に続く環状の空間が形成されることを特徴とする節水具用アダプタ。
【請求項２】
円筒状の本体と上記本体の流入側端面の周縁部に一体に形成され上記管路の端部に係止されるフランジ部が形成されている節水具用アダプタと、上記本体に取り付ける節水具を設け、上記本体に取り付ける節水具は、上記管路の長手方向に沿って挿入される円柱状の節水部と、上記節水部の流入側端面の周縁部に形成されたフランジ部と、このフランジ部とは反対側の上記節水部の流出側端面側に形成され上記節水部の流入側端面に近い部分の外径よりも小さい径の小径部と、上記節水部の流入側端面から上記節水部の上記小径部の流出側端面近傍の側面を貫通して流路が設けられ、この流路の上記流入側端部から上記小径部近傍にかけて形成されているとともに、上記節水部の外径に近い大開口の内径に形成され上記管路の長手方向に形成された第一流路と、上記第一流路底面から上記節水部の小径部の側面に向かって斜めに分岐し貫通した第二流路が形成され、上記第二流路が上記節水部の上記第一流路底部近傍から上記小径部の流出側端面近傍にかけて開口している節水具を設け、上記節水具用アダプタを一定以上の力で吐出管に押し込み、この後、上記節水具用アダプタの内側に上記節水具の節水部を差し込み、上記節水具用アダプタを介して上記節水具を取り付けた上記吐出管を上記水道の蛇口の先端部に取り付け、上記節水具の小径部と上記円筒状の本体の内壁面との間に、上記吐出管に続く環状の空間を形成することを特徴とする節水具用アダプタの施工方法。
【発明の詳細な説明】
【０００１】
【発明の属する技術分野】
この発明は、水栓から吐水する流水量を減らす水道用節水具のアダプタに関する。
【０００２】
【従来の技術】
従来、節水の目的で水栓の突出管等に節水具を装着することが行われている。このような節水具は黄銅等の金属製であり、円柱状の節水部とこの節水部に形成された細い流路とこの節水部の流入側端面の周縁部に形成されているフランジ部が設けられている。上記節水具は、水道の管路の種類に合わせて、フランジ部や節水部の外径、また流路の形状や本数等が様々に設定されていた。
【０００３】
このような節水具の施工方法は、水道の管路に連結される水栓の、吐出管の流入側端部に、この節水具の節水部を挿入し、この節水具のフランジ部が吐水管の端面と吐水管が取り付けられる蛇口の内側の段部に挟持されて、取り付けられるものである。
【０００４】
【発明が解決しようとする課題】
上記従来の技術の場合、金属製の水栓と水道用節水具はともに金属製であり、互いにある程度の遊びを介して取り付けられているため、通水時にがたつきが生じ、騒音を発生する。また、水栓と水道用節水具の接触面は、キズ等がつきやすく腐食の原因となる。そして水栓は多種類が市販されているため、多様な水栓に対応するために外径や長さが異なる多種類の節水具を製造、保管しなければならず、効率が悪くコストがかかるものである。また、水栓の吐水管には節水具のフランジ部を係止する段部が設けられていないものがあり、このような水栓の場合、節水具の振動が激しく騒音が大きいとともに、節水具や水栓の寿命を縮めるものであった。
【０００５】
この発明は上記従来の問題点に鑑みてなされたものであり、簡単な構造で節水具を水栓に一体に取り付けることができる節水具用アダプタとその施工方法を提供することを目的とする。
【０００６】
【課題を解決するための手段】
この発明は、水道の管路内に取り付けられ、合成樹脂製であり上記管路の長手方向に沿って嵌合される円筒状の本体と上記本体の流入側端面の周縁部に一体に形成されているフランジ部が設けられている節水用アダプタである。この節水具用アダプタは、例えばジュラコン等で作られている。そして、上記本体の内側には上記本体の内径よりも細い節水用の流路を有する節水具が係止される。
【０００７】
また、上記本体には、上記本体の長手方向に沿って形成され上記本体の流出側端面に開口するスリットが形成されている。
【０００８】
またこの発明は、円筒状の本体と上記本体の流入側端面の周縁部に一体に形成され上記管路の端部に係止されるフランジ部が形成されている節水具用アダプタと、円柱状の節水部とこの節水部を貫通した流路と、上記節水部の流入側端面の周縁部に形成された係止用フランジ部から成る節水具を水道の管路に取り付ける節水具用アダプタの施工方法である。この施工方法は、上記節水具用アダプタの上記本体を水道の管路の端部に嵌合するとともに、上記節水具用アダプタの上記本体の内側に、上記節水具の節水部を長手方向に沿って挿入して、上記節水具用アダプタと上記節水具が嵌合された上記管路を、隣接する管路に連結するものである。
【０００９】
この発明の節水具用アダプタは、水道の管路と節水具の間に嵌合され、節水具を水道の管路内にがたつき無く取り付けることができる。そして、ジュラコン等の合成樹脂製であるため、多様な水栓に対応したものを、安価で容易に多種類作り、金属製の節水具を水栓の種類を問わずに取り付けることができる。
【００１０】
【発明の実施の形態】
以下、この発明の実施形態について図面に基づいて説明する。図１〜図６は、この発明の一実施形態を示し、この実施形態の節水具用アダプタ１０は、図２，図３に示すように、円筒状の本体１２が設けられ、本体１２の流入側端面１４の周縁部に、本体１２の側方に突出するフランジ部１６が一周して形成されている。本体１２には、本体１２の円筒中心軸方向に沿って流出側端面１８に開口する一対のスリット２０が設けられている。スリット２０は、本体１２の円周方向に互いに等間隔に形成されている。節水具用アダプタ１０は、合成樹脂例えばジュラコンで製造されている。
【００１１】
次に、この実施形態の節水具用アダプタ１０の施工方法について説明する。節水具用アダプタ１０は、水道管等に連結される水栓２２に、図４、図５に示す節水具２４を取り付けるものであり、以下に節水具２４の説明をする。
【００１２】
節水具２４は、円筒状の節水部２６が設けられ、節水部２６の流出側端面２８に近い部分には、流入側端面３０に近い部分よりも外径が小さい小径部３２が形成されている。
【００１３】
そして、流入側端面３０の中央には、有底筒状の第一流路３４が形成され、第一流路３４の底部には、第一流路３４と小径部３２の側周面を貫通する一対の第二流路３６が形成されている。一対の第二流路３６は、節水具２４の中心軸を挟んで左右対称に形成されている。また、第二流路３６は例えば３または４個、互いに等間隔に設けても良い。そして、節水部２６の流入側端面３０の周縁部に、節水部２６の側方に突出するフランジ部３７が一周して形成されている。
【００１４】
そして、節水用アダプタ１０が取り付けられる水栓２２は、水道管等に連結される蛇口３８を有し、蛇口３８には水量を調節するハンドル４０が取り付けられている。蛇口３８の先端部３８ａには、長い略Ｚ字形の吐出管４２が袋ナット４４で取り付けられている。また、蛇口３８の先端部３８ａの内周面には、吐出管４２の端部４２ａが嵌合される段部４４が一周して形成されている。
【００１５】
そして節水具用アダプタ１０の本体１２を吐出管４２の端部４２ａから差し込む。節水具用アダプタ１０の本体１２の外径は、吐出管４２の内径とほぼ同じであり、節水具用アダプタ１０を一定以上の力で吐出管４２に押し込む。このとき、節水具用アダプタ１０の本体１２はわずかに弾性変形しスリット２０が狭くなることにより本体１２の外径がわずかに小さくなり挿入しやすくなる。そして節水具用アダプタ１０のフランジ部１６が吐出管４２の端部４２ａに当接する。
【００１６】
次に、節水具用アダプタ１０の内側に、節水具２４の節水部２６を差し込む。節水具２４の節水部２６の外径は、節水用アダプタ１０の内径とほぼ同じであり、節水具２４を一定以上の強い力で節水具用アダプタ１０に押し込む。そして節水具２４のフランジ部３７が、節水具用アダプタ１０のフランジ部１６に当接する。
【００１７】
このように節水具用アダプタ１０を介して節水具２４を取り付けた吐出管４２を蛇口３８の先端部３８ａに、袋ナット４４で取り付ける。このとき、節水具用アダプタ１０のフランジ部１６と節水具２４のフランジ部３７は重ね合わされて、吐出管４２の端部４２ａと、蛇口３８の先端部３８ａに形成された段部４４に当接し、位置決めされている。
【００１８】
そしてハンドル４０を操作して水道水を蛇口３８に流すと、水道水は節水具２４の第一流路３４を通過して第二流路３６に流れる。そして第一流路３４と第二流路３６内で流路が狭められ、流量が抑制されて少ない流量の水道水が流出側端面２８から流出し、吐出管４２を通過して流れ落ちる。
【００１９】
この実施形態の節水具用アダプタ１０によれば、簡単に節水具２４を確実に水栓２２に取り付けることができ、水道水の流量を小さくして節水することができる。節水具用アダプタ１０は、合成樹脂で作られているため、安価で加工しやすく、多様な水栓２２に対応した節水具用アダプタ１０を多種類製造することができる。多種類の節水具用アダプタ１０を準備することにより、一種類または少数の種類の節水具２４を多種類の水栓２２に取り付けることができ、経済的である。さらに、節水具用アダプタ１０は吐出管４２と節水具２４の間に嵌合されるため、通水時に節水具２４に振動や騒音が発生せず、快適に使用することができる。また合成樹脂製の節水具用アダプタ１０は、金属同士の水栓２２と節水具２４が接触することを防ぎ、接触による腐食を防止する。そして、節水具用アダプタ１０は、ある程度の嵌合強さで節水具２４を吐出管４２に一体に取り付けるため、吐出管４２と蛇口３８の組み立て作業が容易となり、また蛇口３８に節水具２４を係止する段部４４等が無い場合でも、節水具２４を取り付けることができる。
【００２０】
なお、この発明の節水用具アダプタは、上記実施形態に限定されるものではなく、素材や各部材の形状等自由に変更可能である。
【００２１】
【発明の効果】
この発明の節水具用アダプタは、簡単に節水具をある程度の強さで水栓に取り付けることができ、通水時の騒音や振動が少なく快適に使用することができる。そして安価で製造が容易であり、多様な水栓に対応した節水具用アダプタを多種類製造することができる。多種類の節水具用アダプタを準備することにより、一種類または少数の種類の節水具を多種類の水栓に取り付けることができ、経済的である。
【図面の簡単な説明】
【図１】  この発明の一実施形態の節水具用アダプタの使用状態を示す正面図である。
【図２】  この実施形態の節水具用アダプタの正面図である。
【図３】  この実施形態の節水具用アダプタの平面図である。
【図４】  この実施形態の節水具用アダプタに取り付けられる節水具の縦断面図である。
【図５】  図４の節水具の平面図である。
【図６】  この実施形態の節水具用アダプタの使用状態を示す縦断面図である。
【符号の説明】
１０  節水具用アダプタ
１２  本体
１４  流入側端面
１６  フランジ部
１８  流出側端面
２０  スリット
２２  水栓
２４  節水具
３８  蛇口
４０  ハンドル
４２  吐出管
【図１】
0003669924.tif 000002
【図２】
0003669924.tif 000003
【図３】
0003669924.tif 000004
【図４】
0003669924.tif 000005
【図５】
0003669924.tif 000006
【図６】
0003669924.tif 000007